(57)【要約】【課題】各部のマッチングミスを回避でき、取り扱い性もよい配送用シールを提供する。【解決手段】配送用シール１０は、信書を除いた配送物を郵便受けまで投函する民間の運輸会社によるサービスに使用する往復メール便シールであって、その表面に剥離処理が施された本体部１１と、本体部１１上に設けられ、往路用の宛名を印字する往路用宛名部１２と、往路用宛名部１２に設けられ、往路用のバーコードを印字する往路用識別情報部１３と、本体部１１上に設けられ、取扱店控１４ａ、運輸会社控１４ｂ、お客様控１４ｃを有する控部１４と、控用のバーコードを印字する控用識別情報部１５と、本体部１１上に設けられ、復路用の宛名を印字する復路用宛名部１６と、取扱店控１４ａに設けられ、復路用のバーコードを印字する復路用識別情報部１７と、各宛名部，各識別情報部及び各控片を、配送物や管理台帳などに貼付するための粘着剤１８などとを備える。【選択図】図１
2006315361.tif 000002
【特許請求の範囲】
【請求項１】
信書を除いた配送物を郵便受けまで投函するサービスに使用する配送用シールであって、
本体部と、
前記本体部上に設けられた往路用宛名部と、
前記本体部上に設けられた往路用識別情報部と、
前記本体部上に設けられた復路用宛名部と、
前記本体部上に設けられた復路用識別情報部と、
を備える配送用シール。
【請求項２】
請求項１に記載の配送用シールにおいて、
前記本体部上に設けられ、控用識別情報部を有する控部を備えること、
を特徴とする配送用シール。
【請求項３】
請求項１に記載の配送用シールにおいて、
前記各宛名部及び前記各識別情報部は、前記配送物に貼付するための粘着剤層を備えること、
を特徴とする配送用シール。
【請求項４】
請求項１から請求項３までのいずれか１項に記載の配送用シールにおいて、
前記往路用識別情報部は、前記往路用宛名部に設けられ、
前記復路用識別情報部と前記復路用宛名部とは、別々に設けられていること、
を特徴とする配送用シール。
【請求項５】
請求項１から請求項３までのいずれか１項に記載の配送用シールにおいて、
前記本体部に貼り合わされ、剥離シート，前記粘着剤層及びラベル基材がこの順に積層された積層ラベルを備え、
前記各宛名部は、前記ラベル基材に設けられ、
前記各識別情報部は、前記各宛名部に設けられていること、
を特徴とする配送用シール。
【請求項６】
請求項５に記載の配送用シールにおいて、
前記本体部上に設けられ、前記積層ラベルとの厚みを調整する厚み調整シートを備えること、
を特徴とする配送用シール。
【請求項７】
請求項６に記載の配送用シールにおいて、
前記控部は、前記厚み調整シートに設けられ、剥離不能な利用者側控片と、剥離可能な業者側控片とを備えること、
を特徴とする配送用シール。
【請求項８】
請求項１又は請求項２に記載の配送用シールにおいて、
前記本体部は、剥離シート，前記配送物に貼付するための粘着剤層及びラベル基材がこの順に積層された積層ラベルであること、
を特徴とする配送用シール。
【請求項９】
請求項８に記載の配送用シールにおいて、
前記復路用宛名部は、前記ラベル基材に設けられ、
前記復路用識別情報部は、前記復路用宛名部に設けられ、
前記往路用宛名部は、前記復路用宛名部上に剥離可能に設けられ、
前記往路用識別情報部は、前記往路用宛名部に設けられ、
前記控部は、前記ラベル基材上に剥離可能に設けられていること、
を特徴とする配送用シール。
【請求項１０】
請求項８に記載の配送用シールにおいて、
前記往路用識別情報部は、前記復路用識別情報部を兼用していること、
を特徴とする配送用シール。
【請求項１１】
請求項１０に記載の配送用シールにおいて、
前記復路用宛名部は、前記ラベル基材に設けられ、
前記往路用宛名部は、前記復路用宛名部上に剥離可能に設けられ、
前記往路用識別情報部は、前記復路用宛名部上に剥離不能に設けられ、
前記控部は、前記ラベル基材上に剥離可能に設けられていること、
を特徴とする配送用シール。
【請求項１２】
請求項１０に記載の配送用シールにおいて、
前記復路用宛名部は、前記ラベル基材に設けられ、
前記往路用識別情報部は、前記復路用宛名部に設けられ、
前記往路用宛名部は、前記復路用宛名部の前記往路用識別情報部以外の部分上に剥離可能に設けられ、
前記控部は、前記ラベル基材上に剥離可能に設けられていること、
を特徴とする配送用シール。
【請求項１３】
請求項１から請求項１２までのいずれか１項に記載の配送用シールにおいて、
前記各識別情報部は、それぞれ共通化又は関連化されていること、
を特徴とする配送用シール。
【発明の詳細な説明】
【技術分野】
【０００１】
本発明は、メール便に使用するのに好適な配送用シールに関するものである。
【背景技術】
【０００２】
近年、メール便が登場してきている（例えば、特許文献１）。
メール便とは、信書を除いた配送物を郵便受けまで投函するサービスであり、送料が宅配便などに比べて安価なため、多用されるようになってきた。
【０００３】
しかし、従来のメール便では、以下の課題があった。
（１）大量発送する場合に、管理用のバーコードと宛名とのマッチングミスが発生する可能性があった。
（２）必要なパーツ（取扱店控、運輸会社控、お客様控など）が増加すればするほど、取り扱い性が低下してしまっていた。
【特許文献１】特開２００２−２８８２９１号公報
【発明の開示】
【発明が解決しようとする課題】
【０００４】
本発明の課題は、各部のマッチングミスを回避でき、取り扱い性もよい配送用シールを提供することである。
【課題を解決するための手段】
【０００５】
前記課題を解決するために、請求項１の発明は、信書を除いた配送物を郵便受けまで投函するサービスに使用する配送用シールであって、本体部と、前記本体部上に設けられた往路用宛名部と、前記本体部上に設けられた往路用識別情報部と、前記本体部上に設けられた復路用宛名部と、前記本体部上に設けられた復路用識別情報部と、を備える配送用シールである。
請求項２の発明は、請求項１に記載の配送用シールにおいて、前記本体部上に設けられ、控用識別情報部を有する控部を備えること、を特徴とする配送用シールである。
請求項３の発明は、請求項１に記載の配送用シールにおいて、前記各宛名部及び前記各識別情報部は、前記配送物に貼付するための粘着剤層を備えること、を特徴とする配送用シールである。
請求項４の発明は、請求項１から請求項３までのいずれか１項に記載の配送用シールにおいて、前記往路用識別情報部は、前記往路用宛名部に設けられ、前記復路用識別情報部と前記復路用宛名部とは、別々に設けられていること、を特徴とする配送用シールである。
請求項５の発明は、請求項１から請求項３までのいずれか１項に記載の配送用シールにおいて、前記本体部に貼り合わされ、剥離シート，前記粘着剤層及びラベル基材がこの順に積層された積層ラベルを備え、前記各宛名部は、前記ラベル基材に設けられ、前記各識別情報部は、前記各宛名部に設けられていること、を特徴とする配送用シールである。
請求項６の発明は、請求項５に記載の配送用シールにおいて、前記本体部上に設けられ、前記積層ラベルとの厚みを調整する厚み調整シートを備えること、を特徴とする配送用シールである。
請求項７の発明は、請求項６に記載の配送用シールにおいて、前記控部は、前記厚み調整シートに設けられ、剥離不能な利用者側控片と、剥離可能な業者側控片とを備えること、を特徴とする配送用シールである。
請求項８の発明は、請求項１又は請求項２に記載の配送用シールにおいて、前記本体部は、剥離シート，前記配送物に貼付するための粘着剤層及びラベル基材がこの順に積層された積層ラベルであること、を特徴とする配送用シールである。
請求項９の発明は、請求項８に記載の配送用シールにおいて、前記復路用宛名部は、前記ラベル基材に設けられ、前記復路用識別情報部は、前記復路用宛名部に設けられ、前記往路用宛名部は、前記復路用宛名部上に剥離可能に設けられ、前記往路用識別情報部は、前記往路用宛名部に設けられ、前記控部は、前記ラベル基材上に剥離可能に設けられていること、を特徴とする配送用シールである。
請求項１０の発明は、請求項８に記載の配送用シールにおいて、前記往路用識別情報部は、前記復路用識別情報部を兼用していること、を特徴とする配送用シールである。
請求項１１の発明は、請求項１０に記載の配送用シールにおいて、前記復路用宛名部は、前記ラベル基材に設けられ、前記往路用宛名部は、前記復路用宛名部上に剥離可能に設けられ、前記往路用識別情報部は、前記復路用宛名部上に剥離不能に設けられ、前記控部は、前記ラベル基材上に剥離可能に設けられていること、を特徴とする配送用シールである。
請求項１２の発明は、請求項１０に記載の配送用シールにおいて、前記復路用宛名部は、前記ラベル基材に設けられ、前記往路用識別情報部は、前記復路用宛名部に設けられ、前記往路用宛名部は、前記復路用宛名部の前記往路用識別情報部以外の部分上に剥離可能に設けられ、前記控部は、前記ラベル基材上に剥離可能に設けられていること、を特徴とする配送用シールである。
請求項１３の発明は、請求項１から請求項１２までのいずれか１項に記載の配送用シールにおいて、前記各識別情報部は、それぞれ共通化又は関連化されていること、を特徴とする配送用シールである。
【発明の効果】
【０００６】
本発明によれば、本体部上に、往路用宛名部、往路用識別情報部、復路用宛名部、復路用識別情報部を設けたので、各部に必要な情報をまとめて印字することができ、マッチングミスが発生しない。
また、本体部上に、往路用宛名部、往路用識別情報部、復路用宛名部、復路用識別情報部を設けることにより、各部がコンパクトにまとまり、取り扱い性がよい。
【発明を実施するための最良の形態】
【０００７】
本発明は、各部のマッチングミスを回避でき、取り扱い性もよい配送用シールを提供するという目的を、本体部上に、往路用宛名部、往路用識別情報部、復路用宛名部、復路用識別情報部、控部、控用識別情報部を設け、必要事項を一括印字することにより実現する。
【実施例１】
【０００８】
以下、図面等を参照して、本発明の実施例について、さらに詳しく説明する。
図１は、本発明による配送用シールの実施例１を示す図である。
実施例１の配送用シール１０は、信書を除いた配送物（定期刊行物やカタログ、パンフレットなど）を郵便受けまで投函する民間の運輸会社によるサービスに使用する往復メール便シールであって、本体部１１と、往路用宛名部１２と、往路用識別情報部１３と、控部１４と、控用識別情報部１５と、復路用宛名部１６と、復路用識別情報部１７と、粘着剤（粘着剤層）１８などとを備える。
また、本実施例では、配送用シール１０は、Ａ４サイズの用紙に２面配置しているが、Ａ５サイズの用紙に１面配置してもよい。
【０００９】
本体部１１は、その表面に剥離処理が施された剥離紙（剥離シート）である。
また、本体部１１には、４つのアイランド部（左上、左下、右上、右下）を区画するミシン目ｍｃが設けられ、上の２つのアイランド部の近傍には、それぞれをファイルするためのパンチ孔ｐが設けられている。なお、実際には、各アイランド部は、その周縁をハーフカットで区画し、まわりの部分を粕上げして製造している。
【００１０】
往路用宛名部１２は、本体部１１上の右下のアイランド部に設けられ、往路用の宛名を印字する部分である。
往路用識別情報部１３は、往路用宛名部１２に設けられ、往路用のバーコードを印字する部分である。
【００１１】
控部１４は、本体部１１上の左上及び右上のアイランド部に設けられ、３つの控片（取扱店控１４ａ、運輸会社控１４ｂ、お客様控１４ｃ）を備え、その中の運輸会社控１４ｂは、控用のバーコードを印字する控用識別情報部１５を備える。
【００１２】
復路用宛名部１６は、本体部１１上の左下のアイランド部に設けられ、復路用の宛名を印字する部分である。
復路用識別情報部１７は、ハーフカットｈｃによって剥がし取れるように、取扱店控１４ａに設けられ、復路用のバーコードを印字する部分である。
【００１３】
粘着剤１８は、４つのアイランド部と本体部１１との間に設けられ、各宛名部，各識別情報部及び各控片を、配送物や管理台帳などに貼付するためのものである。
【００１４】
各識別情報部は、それぞれ関連化されており、例えば、主要部分に同じ番号を用い、その他の部分に、往路は「０」、復路は「１」、控は「２」などといった番号を追加しておく。
【００１５】
次に、実施例１による配送用シール１０の使用方法について説明する。
まず、荷主側は、ＯＡプリンタなどで、各宛名部や各識別情報部に必要事項（宛名、バーコード、荷物サイズ、問い合わせ番号など）を印字する。
ついで、往路用宛名部１２を剥がして、配送物に貼付し、残りの部分を、そのまま配送物の内部に入れる。
この状態で、配送物は、往路用宛名部１２に表示された宛先に配送される。
受取側では、配送物を確認する。
返送する必要がある場合には、配送物の内部に入れられている残りの部分を取り出し、復路用宛名部１６及び復路用識別情報部１７を配送物に貼付し、控部１４とともに取扱店に持ち込み、受付をする。
店員は、お客様控１４ｃを利用者に手渡し、取扱店控１４ａ及び運輸会社控１４ｂを保管する。このとき、取扱店控１４ａ及び運輸会社控１４ｂは、パンチ孔ｐを利用して、ファイルしてもよく、粘着剤１８を利用して、管理台帳などに貼付してもよい。運輸会社控１４ｂは、運輸会社が配送物を回収しに来たときに渡す。
そして、配送物は、復路用宛名部１６に表示された宛先に配送される。
【００１６】
このように、実施例１によれば、以下のような効果がある。
（１）必要事項を一括印字することができるので、作業性がよく、マッチングミスも生じない。
（２）往路用識別情報部１３は、往路用宛名部１２に設けられているので、往路では、ラベルの貼付が一度で済み、手間がかからない。
（３）利用者が返送する際には、復路用宛名部１６や復路用識別情報部１７などに必要な情報がすべて印字されているので、あらためて宛名などを記入する必要がなく、手間がかからない。
（４）復路用識別情報部１７と復路用宛名部１６とは、別々に設けられているので、現状のメール便がバーコードのみで運用されている場合に好適であり、そのインフラをそのまま活用することができる。
【実施例２】
【００１７】
図２は、本発明による配送用シールの実施例２を示す図である。
なお、前述した実施例１と同様な機能を果たす部分には、同一の符号又は末尾に統一した符号を付して、重複する説明や図面を適宜省略する。
実施例２の配送用シール１０−２は、上質紙からなる本体部１１の左端側に、積層ラベル１９が貼り合わされたものである。
また、本実施例では、配送用シール１０−２は、Ａ４サイズよりも若干大きめの用紙に３面配置されている。
【００１８】
積層ラベル１９は、剥離紙１９ａ，粘着剤１９ｂ及びタック基材（ラベル基材）１９ｃが下からこの順に積層されたタック紙（タックシート）である。
往路用宛名部１２及び復路用宛名部１６は、ハーフカットｈｃによって剥がし取れるように、タック基材１９ｃに設けられている。
また、往路用識別情報部１３は、往路用宛名部１２に設けられ、復路用識別情報部１７は、復路用宛名部１６に設けられている。
【００１９】
このように、実施例２によれば、往路でも復路でも、ラベルの貼付は一度で済み、取り扱い性がより向上する。
また、控部１４は、粘着剤１９ｂを備えていないので、保管適性を向上させることができる。
【実施例３】
【００２０】
図３は、本発明による配送用シールの実施例３を示す図である。
実施例３の配送用シール１０−３は、実施例２の配送用シール１０−２のプリンタ適性を改善したタイプのものであり、積層ラベル１９以外の部分の本体部１１上に、積層ラベル１９との厚みを調整する厚み調整シート２０を備える。
また、控部１４は、厚み調整シート２０に設けられ、接着剤からなる強接着部２１によって剥離不能なお客様控（利用者側控片）１４ｃと、擬似接着層（例えば、接着剤／剥離層など）２２によって剥離可能な取扱店控１４ａ及び運輸会社控１４ｂ（業者側控片）とを備える。
さらに、取扱店控１４ａ及び運輸会社控１４ｂの下層の本体部１１には、『往復メール便のご利用方法』などといった利用方法表示部２３が設けられている。
【００２１】
このように、実施例３によれば、厚み調整シート２０によって、全体的な厚みが均一となるため、プリンタ適性が向上し、カセットでの給紙が可能となる。
また、取扱店控１４ａ及び運輸会社控１４ｂを剥がすと、往復メール便の利用方法について広いスペースで説明がなされているので、初めての利用者でも安心して利用できる。
さらに、お客様控１４ｃを強接着させているので、その部分は剥がすことができず、利用者には、利用方法表示部２３とともにお客様控１４ｃを手渡すことができ、また、本体部１１の裏面も利用者へのメッセージとして活用可能であり、利用者にとってより分かりやすい形態とすることができる。
【実施例４】
【００２２】
図４は、本発明による配送用シールの実施例４を示す図である。
実施例４の配送用シール１０−４は、上述した各実施例のものと比較して、本体部１１の構成が異なる。
本体部１１は、剥離紙１１ａ，粘着剤１１ｂ及びタック基材１１ｃが下からこの順に積層されたタック紙（積層ラベル）である。
復路用宛名部１６は、タック基材１１ｃに設けられ、復路用識別情報部１７は、復路用宛名部１６に設けられている。なお、復路用宛名部１６及び復路用識別情報部１７は、あらかじめ印刷しておく必要がある。
往路用宛名部１２は、復路用宛名部１６上に、擬似接着層２２によって剥離可能に設けられ、往路用識別情報部１３は、往路用宛名部１２に設けられている。
また、控部１４は、タック基材１１ｃ上の復路用宛名部１６以外の部分に、擬似接着層２２によって剥離可能に設けられている。
【００２３】
次に、実施例４による配送用シール１０−４の使用方法について説明する。
まず、ＯＡプリンタなどで、必要事項を印字する。
ついで、本体部１１の剥離紙１１ａを剥がして粘着剤１１ｂを表出させ、配送用シール１０−４全体を配送物に貼付する。
この状態で、配送物は、往路用宛名部１２に表示された宛先に配送される。
受取側では、配送物を確認する。
返送する必要がある場合には、配送物ごと取扱店に持ち込み、受付をする。
店員は、往路用宛名部１２及び控部１４を剥がし、お客様控１４ｃを利用者に手渡し、取扱店控１４ａ及び運輸会社控１４ｂを保管する。
そして、配送物は、復路用宛名部１６に表示された宛先に配送される。
【００２４】
このように、実施例４によれば、配送用シール１０−４を全面貼付するだけで、往復で利用可能な利便性の高い形態とすることができる。
また、各宛名部の識別情報は、往路復路ともに１つしか見えないので、配達員が混同しにくい。
さらに、全体的に厚みが均一となるため、往路に関する情報を印字する場合に、大量にスタックする（積み上げる）ことができる。
一方、全体をそのまま貼付する形態であるので、往路では、上述した各実施例のように、残りの部分（控部１４や復路用宛名部１６）を配送物の内部に入れる必要がなく、また、復路では、取扱店に持ち込む際に、控部１４や復路用宛名部１６などを忘れてしまうことがない。
【実施例５】
【００２５】
図５は、本発明による配送用シールの実施例５を示す図である。
実施例５の配送用シール１０−５は、実施例４の配送用シール１０−４を改良した形態であり、同一平面上に同一の識別情報を設けるものである。
往路用識別情報部１３は、復路用識別情報部を兼用しており、往路用識別情報部１３及び控用識別情報部１５には、同じ番号を印字して使用する（共通化）。
復路用宛名部１６は、タック基材１１ｃに設けられ、往路用宛名部１２は、復路用宛名部１６上に、擬似接着層２２によって剥離可能に設けられている。なお、復路用宛名部１６は、あらかじめ印刷しておく必要がある。
往路用識別情報部１３は、復路用宛名部１６上に、強接着部２１によって剥離不能に設けられ、控部１４は、タック基材１１ｃ上の復路用宛名部１６以外の部分に、擬似接着層２２によって剥離可能に設けられている。
また、往路用宛名部１２と往路用識別情報部１３との間には、ハーフカットｈｃが切り込まれており、往路用宛名部１２を簡単に剥がせるようになっている。
【００２６】
このように、実施例５によれば、すべての識別情報をプリンタで印字することができるので、利用する際の自由度が高く、また、同一の識別情報を往復で利用するため、実施例４のものよりコストアップ幅が抑制される。
なお、現行のシステムでは、往復で同じ番号を流用することはできないが、往復専用の番号を与えて、往路で配達完了処理が終わると復路で利用できるようなシステムを構築すれば、対応可能である。
【実施例６】
【００２７】
図６は、本発明による配送用シールの実施例６を示す図である。
実施例６の配送用シール１０−６は、実施例５のものを変形した形態である。
復路用宛名部１６は、タック基材１１ｃに設けられ、復路用識別情報を兼用する往路用識別情報部１３は、復路用宛名部１６に設けられている。なお、復路用宛名部１６は、あらかじめ印刷しておく必要がある。
往路用宛名部１２は、復路用宛名部１６の往路用識別情報部１３以外の部分上に、擬似接着層２２によって剥離可能に設けられ、控部１４は、タック基材１１ｃ上の復路用宛名部１６以外の部分に、擬似接着層２２によって剥離可能に設けられている。
【００２８】
このように、実施例６によれば、実施例５のものと比較して、強接着部２１や往路用宛名部１２の一部をなくすことができるので、使用する資材を削減して、製造コストを抑えることができる。
また、往路用識別情報部１３と控用識別情報部１５との間に段差があるため、一度に印字しにくい構成であるが、各識別情報部は表面に表出しているため、段差や各識別情報のサイズによっては、同時に印字することが可能である。
【００２９】
（変形例）
以上説明した実施例に限定されることなく、種々の変形や変更が可能であって、それらも本発明の均等の範囲内である。
（１）実施例１において、荷主側で印字する場合は、ＯＡプリンタでの印字がメインになると想定されるので、アイランド粕上げしないようにして、印字時の剥がれトラブルを防止してもよい。
（２）例えば、復路用宛名部１６には、荷主側の宛名ではなく、物流センターの宛名などを印字するようにすれば、用途に合わせた使い分けが可能である。
【図面の簡単な説明】
【００３０】
【図１】本発明による配送用シールの実施例１を示す図である。
【図２】本発明による配送用シールの実施例２を示す図である。
【図３】本発明による配送用シールの実施例３を示す図である。
【図４】本発明による配送用シールの実施例４を示す図である。
【図５】本発明による配送用シールの実施例５を示す図である。
【図６】本発明による配送用シールの実施例６を示す図である。
【符号の説明】
【００３１】
１０、１０−２〜１０−６  配送用シール
１１  本体部
１１ａ  剥離紙（剥離シート）
１１ｂ  粘着剤（粘着剤層）
１１ｃ  タック基材（ラベル基材）
１２  往路用宛名部
１３  往路用識別情報部
１４  控部
１４ａ  取扱店控
１４ｂ  運輸会社控
１４ｃ  お客様控
１５  控用識別情報部
１６  復路用宛名部
１７  復路用識別情報部
１８  粘着剤（粘着剤層）
１９  積層ラベル
１９ａ  剥離紙（剥離シート）
１９ｂ  粘着剤（粘着剤層）
１９ｃ  タック基材（ラベル基材）
２０  厚み調整シート
２１  強接着部
２２  擬似接着層
２３  利用方法表示部
ｈｃ  ハーフカット
ｍｃ  ミシン目
【図１】
2006315361.tif 000003
【図２】
2006315361.tif 000004
【図３】
2006315361.tif 000005
【図４】
2006315361.tif 000006
【図５】
2006315361.tif 000007
【図６】
2006315361.tif 000008